(57)【要約】【課題】極めてシンプルな形状を有しており、複雑な形状の金型を使用せずに成形されるプリフォームの組み合わせからなる二重構造容器形成用の二重構造プリフォームを提供する。【解決手段】何れもが試験管形状を有している外筒プリフォーム１と内筒プリフォーム３とからなり、内筒プリフォーム３が外筒プリフォーム１の内部に挿入された二重構造を有していると共に、上部の固定領域Ｘと、下部の延伸成形領域Ｙとに区画される二重構造容器成形用プリフォーム２０において、固定領域Ｘは、外筒プリフォーム１の内面と内筒プリフォーム３の外面とが密着している嵌合部Ａと、嵌合部Ａの下側において、外筒プリフォーム１の内面と内筒プリフォーム３の外面との間に形成されている空隙部１３とを含んでおり、空隙部１３は、固定領域Ｘの全周にわたって且つ固定領域Ｘの少なくとも下端にまで延びていると共に、外筒プリフォーム１の壁部には、空隙部１３に通じている空気導入口７が設けられていることを特徴とする。【選択図】図１
2016210181.tif 000002
【特許請求の範囲】
【請求項１】
何れもが試験管形状を有している外筒プリフォームと内筒プリフォームとからなり、該内筒プリフォームが外筒プリフォームの内部に挿入された二重構造を有していると共に、上部の固定領域と、下部の延伸成形領域とに区画される二重構造容器成形用プリフォームにおいて、
前記固定領域は、前記外筒プリフォームの内面と前記内筒プリフォームの外面とが密着している嵌合部と、該嵌合部の下側において、該外筒プリフォームの内面と該内筒プリフォームの外面との間に形成されている空隙部とを含んでおり、該空隙部は、該固定領域の全周にわたって且つ該固定領域の少なくとも下端にまで延びていると共に、
前記外筒プリフォームの壁部には、前記空隙部に通じている空気導入口が設けられていること、
を特徴とする二重構造容器成形用プリフォーム。
【請求項２】
前記固定領域内に位置する前記内筒プリフォームの上部外面には、キャップ固定用突起と、外筒プリフォームの上端の位置を規制するための周状突部とが形成されており、該周状突部は、該キャップ固定突起の下側に位置している請求項１に記載の二重構造容器成形用プリフォーム。
【請求項３】
前記固定領域内に位置する前記内筒プリフォームの上部外面には、キャップを嵌合固定し且つ外筒プリフォームの上端の位置を規制するための大径突部が形成されている請求項１に記載の二重構造容器成形用プリフォーム。
【請求項４】
前記固定領域内に位置する前記外筒プリフォームの上部外面には、サポートリングが形成されている請求項２又は３に記載の二重構造容器成形用プリフォーム。
【請求項５】
前記外筒プリフォームの前記空気導入口よりも下側から、前記サポートリングとの間の位置で、逆止弁付キャップの下方部分が密着し、これにより、前記空気導入口への空気流路が規制される請求項４に記載の二重構造容器成形用プリフォーム。
【請求項６】
請求項１〜５の何れかに記載の二重構造プリフォームを延伸ブロー成形して得られる二重構造容器。
【発明の詳細な説明】
【技術分野】
【０００１】
本発明は、二重構造容器成形用プリフォームに関するものであり、より詳細には、二重構造容器の製造に使用される二重構造プリフォーム及び該プリフォームにより得られる二重構造容器に関する。
【背景技術】
【０００２】
従来、内袋と外筒とからなる二重構造を有している二重構造容器は、例えばデラミボトルとして、醤油等の調味液が収容される容器として実用されている。即ち、かかるデラミボトルは、逆止弁付のキャップと組み合わせで使用されるものであり、ボトルの胴部壁を外部から押圧して凹ませることにより、内袋に充填されている内容物がキャップに形成されている注出路から排出され、ボトルの胴部壁の押圧を停止することにより内容物の排出を終了させると、逆止弁の作用により、空気は内袋には導入されず、キャップの注出路とは異なる流路を通って、内袋と外筒との間の空間に導入されることとなる。これにより、内袋は、内容物が排出された分だけ収縮することとなり、内容物を排出する毎に、内袋が収縮していく。このような方法により内容物が排出されるデラミボトルでは、内容物を小出しできると共に、内容物が充填されている内袋への空気の侵入が有効に防止されるため、内容物の酸化劣化を有効に回避でき、内容物の鮮度を長期間にわたって保持できるという利点がある。
【０００３】
このような二重構造容器は、一般に、ダイレクトブロー成形により製造されている。即ち、溶融押出しにより、二重構造のパイプを形成し、このパイプの下端部をピンチオフし、次いでブロー流体を吹き込むことによりボトルの形態に賦形することにより製造される。
しかるに、ダイレクトブロー成形により二重構造容器を製造する場合には、溶融押出からボトルの成形までの工程が一挙に行われることから、多数個取りが難しく、生産性が低いため、コストが高いという問題がある。また、ダイレクトブロー成形ではオレフィン系樹脂が使用されることが多く、透明性が低いため内容物の視認性に難がある。
【０００４】
このため、延伸ブロー成形による二重構造容器の製造方法が検討されている。即ち、延伸ブロー成形法は、射出成形等により、一旦、試験管形状の容器用プリフォームを成形しておき、このプリフォームを延伸成形温度（ガラス転移点以上融点未満）に加熱し、この状態でブロー流体を吹き込んで容器の形状に賦形するという方法であり、容器用プリフォームの量産が可能であり、生産性が高く、また、容器重量や内容積のバラつきも少なく、安定した品質の容器を製造できるという利点があり、特にコストの低減が可能となるからである。更に、延伸ブロー成形においては透明性の高いＰＥＴ等の樹脂を使用できるため内容物の視認性を向上することも可能となる。
例えば、特許文献１〜３には、このような延伸ブロー成形により二重構造容器を製造する方法が開示されている。
【０００５】
延伸ブロー成形により二重構造容器を形成する場合には、外筒形成用プリフォームの内部に内袋形成用プリフォームが挿入されて固定された状態で、内袋形成プリフォームの内部にブロー流体が吹き込まれて成形が行われるため、成形された内袋の外面と外筒の内面との間に、如何にして空気を導入するための導入路を確保するかが問題となる。例えば、上述した公知の技術は、空気導入路を形成するために、プリフォームに溝や突条を形成したり或いはプリフォーム底部に空気導入口を形成するという手段を採用しているため、金型が複雑な構造となったり（特許文献１，２）、空気の導入が困難となってしまっており（特許文献３）、実用化に向けて、さらなる改善が必要となっている。
【先行技術文献】
【特許文献】
【０００６】
【特許文献１】特許第３７９６５９５号
【特許文献２】特許第４２８１４５４号
【特許文献３】特許第３７４５８９７号
【発明の概要】
【発明が解決しようとする課題】
【０００７】
従って、本発明の目的は、極めてシンプルな形状を有しており、複雑な形状の金型を使用せずに成形されるプリフォームの組み合わせからなる二重構造容器形成用の二重構造プリフォームを提供することにある。
本発明の他の目的は、上記の二重構造プリフォームから得られる二重構造容器を提供することにある。
【課題を解決するための手段】
【０００８】
本発明によれば、何れもが試験管形状を有している外筒プリフォームと内筒プリフォームとからなり、該内筒プリフォームが外筒プリフォームの内部に挿入された二重構造を有していると共に、上部の固定領域と、下部の延伸成形領域とに区画される二重構造容器成形用プリフォームにおいて、
前記固定領域は、前記外筒プリフォームの内面と前記内筒プリフォームの外面とが密着している嵌合部と、該嵌合部の下側において、該外筒プリフォームの内面と該内筒プリフォームの外面との間に形成されている空隙部とを含んでおり、該空隙部は、該固定領域の全周にわたって且つ該固定領域の少なくとも下端にまで延びていると共に、
前記外筒プリフォームの壁部には、前記空隙部に通じている空気導入口が設けられていること、
を特徴とする二重構造容器成形用プリフォームが提供される。
【０００９】
本発明の二重構造容器成形用プリフォームにおいては、
（１）前記固定領域内に位置する前記内筒プリフォームの上部外面には、キャップ固定用突起と、外筒プリフォームの上端の位置を規制するための周状突部とが形成されており、該周状突部は、該キャップ固定突起の下側に位置していること、
（２）前記固定領域内に位置する前記内筒プリフォームの上部外面には、キャップを嵌合固定し且つ外筒プリフォームの上端の位置を規制するための大径突部が形成されていること、
（３）前記固定領域内に位置する前記外筒プリフォームの上部外面には、サポートリングが形成されていること、
（４）前記外筒プリフォームの前記空気導入口よりも下側から、前記サポートリングとの間の位置で、逆止弁付キャップの下方部分が密着し、これにより、前記空気導入口への空気流路が規制されること、
が好適である。
【００１０】
本発明によれば、また、上記の二重構造プリフォームを延伸ブロー成形して得られる二重構造容器が提供される。
【発明の効果】
【００１１】
本発明の二重構造容器成形用プリフォームでは、外筒プリフォームの内面と該内筒プリフォームの外面との間に形成されている空隙部が外筒プリフォームに形成されている空気導入口に連通している。この空隙部は、最終的に成形される二重構造容器において、その内袋と外筒との間に空気を挿入するための導入路として機能するのであるが、このような空隙部は、固定領域（延伸成形されない容器の首部に相当）の全周に延びている。このため、かかる空隙部は、外筒プリフォームの内径を内筒プリフォームの外径よりも大きく設定するという単純な手段で形成することができる。
即ち、本発明の二重構造容器成形用プリフォームにおいては、外筒プリフォームに空気導入口が必要であることを除けば、これを形成する外筒プリフォーム及び内筒プリフォームが何れもシンプルな形態を有しており、通常の延伸ブロー容器のプリフォームの大きさ（内径や外径）が適宜変更されているに過ぎず、容易に成形される外筒プリフォームと内筒プリフォームとを使用し、内筒プリフォームを外筒プリフォームの内部に挿入して嵌合固定するという単純な作業によって容易に製造される。加えて、形態がシンプルであることから金型構造が単純でよくコストの低減にも寄与する。
【００１２】
また、かかる二重構造容器成形用プリフォームでは、この固定領域を固定した状態で、内筒プリフォームに、適宜ストレッチロッドを挿入して一軸方向に延伸した後、ブロー流体を吹き込んで延伸ブロー成形を行うことにより、最終目的物である二重構造容器を得ることができる。
【図面の簡単な説明】
【００１３】
【図１】本発明の二重構造容器成形用プリフォーム、及びこれを構成する外筒用プリフォームと内筒プリフォームを示す側断面図。
【図２】図１の二重構造容器成形プリフォームの要部拡大断面図。
【図３】図１の二重構造容器成形プリフォームから得られる二重構造容器の側断面図。
【図４】図３の二重構造容器の口部に逆止弁付キャップが装着された状態を示す側断面図。
【図５】本発明の二重構造容器プリフォームの他の例を示す側断面図及びその要部拡大断面図。
【発明を実施するための形態】
【００１４】
図１を参照して、全体として２０で示されている本発明の二重構造容器成形用のプリフォーム（以下、多重プリフォームと呼ぶことがある）は、何れも試験管形状を有している外筒プリフォーム１と内筒プリフォーム３とからなっており、内筒プリフォーム３を外筒プリフォーム１の内部に挿入して嵌合固定することにより組み立てられている（図１（ａ）参照）。
この外筒プリフォーム１は、後述する二重構造容器の外筒体に相当するものであり、内筒プリフォーム３は、二重構造容器の内袋に相当し、この内袋の内部に容器内容物が充填される。
【００１５】
このような多重プリフォーム２０では、その上部が延伸成形されない固定領域Ｘとなっており、固定領域Ｘの下側がブロー延伸される延伸成形領域Ｙとなっている。即ち、この多重プリフォーム２０をブロー延伸して得られる多重容器において、固定領域Ｘは、逆止弁付キャップとの係合部を備えたノズル部に相当し、延伸成形領域Ｙは、ノズル部の下端に連なる肩部、胴部及び底部に相当する。
また、上記の固定領域Ｘ内には、外筒プリフォーム１の内面と内筒プリフォーム３の外面とが密着している嵌合部Ａが存在する。
【００１６】
このような多重プリフォーム２０において、外筒プリフォーム１は、内筒プリフォーム３よりも背が低く、外筒プリフォーム１の上端部分が嵌合部Ａとなっており、この嵌合部Ａの下方部分の外面には、サポートリング５が形成されており、このサポートリング５を把持部として外筒プリフォーム１の搬送などが行われる（図１（ｂ）参照）。
【００１７】
かかる外筒プリフォーム１の嵌合部Ａの下側でサポートリング５の上方部分には、図２に示されているように、空気導入口７が設けられている。即ち、このサポートリング５は、後述する逆止弁付キャップと協同して、空気導入口７への空気流路を規制する部材としての機能も有している。
【００１８】
一方、外筒プリフォーム１内に挿入される内筒プリフォーム３は、上記でも述べたように、外筒プリフォーム１よりも背が高く、前記固定領域Ｘ内に位置する内筒プリフォーム３の上方部分の外面には、キャップ固定用突起として機能する螺条９が設けられており、この螺条９の下側には、周状突部１１が設けられている（図１（ｃ）参照）。
【００１９】
この周状突部１１は、この内筒プリフォーム３の搬送などの際の把持部材として使用されるが、多重プリフォーム２０における外筒プリフォーム１の上端位置を規制する規制部材として機能する。即ち、図１（ａ）から理解されるように、多重プリフォーム２０において、外筒プリフォーム１の上端は、内筒プリフォーム３の周状突部１１の下端に当接するものであり、これにより、外筒プリフォーム１に挿入された内筒プリフォーム３が一定位置に位置決めされることとなる。
また、この周状突部１１は、空気導入口７への空気導入路を確保するため、外筒プリフォーム１のサポートリング５よりも小さく、サポートリング５が周状突部１１よりも大径となっている。
【００２０】
上記のような多重プリフォーム２０では、図２に示されているように、固定領域Ｘ中の嵌合部Ａにおいて、外筒プリフォーム１の内面が内筒プリフォーム３の外面と密着し、これにより、外筒プリフォーム１と内筒プリフォーム３とがガタツキなく安定に保持されると共に、両者の間に確実なシールが形成され、以下に述べる空気導入路を確保することが可能となる。
【００２１】
即ち、図２から理解されるように、外筒プリフォームと内筒プリフォーム３とが密着している嵌合部Ａの下側には、外筒プリフォーム３に空気導入口７が形成されていると共に、この嵌合部Ａの下側において、外筒プリフォーム１の内面と内筒プリフォーム３の外面との間に空隙１３が設けられている。
この空隙１３は、周方向の全体にわたって形成されており、かかる空隙１３は、空気導入口７に通じている。即ち、この空隙１３は、大気中から空気導入口７を通して外筒プリフォーム１の内面と内筒プリフォーム３の外面と間、具体的には、この多重プリフォーム２０をブロー成形して得られる二重構造容器における外筒体と内袋との間の空間に空気を導入するための空気導入路として機能する。
【００２２】
尚、上記のような空気導入路として機能する空隙１３は、少なくとも固定領域Ｘの下端（固定領域Ｘと延伸成形領域Ｙとの境界部）まで延びていればよいが、一般的には、延伸成形領域Ｙの下端もしくはその近傍にまで延びていることが望ましい。即ち、延伸成形領域Ｙに形成されている空隙１３は、容器に賦形するためのブロー成形によって閉塞してしまうのであるが、空隙１３が延伸成形領域Ｙにまで延びていないと、内筒プリフォーム３を外筒プリフォーム１内に挿入する際、ベントが有効に行われず、この結果、図１（ａ）に示されているように、内筒プリフォーム３を外筒プリフォーム１内に深く挿入することができず、嵌合部Ａ等の形成が困難となってしまうおそれがある。
従って、延伸成形領域Ｙに形成される空隙１３は、ベントが有効に行われる程度の微小な間隙でよい。
【００２３】
再び図１に戻って、上記のように内筒プリフォーム３が外筒プリフォーム１内に挿入し、嵌合部Ａで固定する作業がスムーズに行われるようにするために、外筒プリフォーム１の外面は、サポートリング５が形成されている部分を除き、実質上ストレートな形態を有しているが、その内面は、固定領域Ｘから延伸成形領域Ｙにかけて、上方から下方にいくにしたがって縮径しているテーパー面１ａとなっており（図１（ｂ）参照）、一方、これのテーパー面１ａに対応して、内筒プリフォーム３の外面は，固定領域Ｘから延伸成形領域Ｙにかけて、上方から下方にいくにしたがって縮径しているテーパー面３ａとなっており、このテーパー面３ａを除く部分が、実質上ストレートな形態を有している（図１（ｃ）参照）。
即ち、外筒プリフォーム１及び内筒プリフォーム３が上記のような形態を有しているため、内筒プリフォーム３を外筒プリフォーム３の内部にスムーズに挿入し、図１（ａ）に示すように、外筒プリフォーム１と内筒プリフォーム３とが安定に保持された多重プリフォーム２０を組み合立てることが可能となる。
【００２４】
上述した本発明においては、上記のような多重プリフォーム２０を組み立てるために使用される外筒プリフォーム１及び内筒プリフォーム３は、何れも、熱可塑性樹脂の射出成形によって形成されるが、これらのプリフォーム１，３を成形するためには、両者が重なる部分での内径或いは外径を、嵌合部Ａや空隙１３が形成されるように、適宜の大きさに設定するのみでよく、例えば空気導入路として機能するような溝を形成するものではないため、各プリフォーム１，３を形成するための金型が、二重構造を有していない通常のブロー容器の成形に用いるものと同様、シンプルな形態とすることができ、割型の数を多くしたり、金型表面に凸凹加工を施すなどした複雑な金型を用いたりする必要はない。
また、嵌合部Ａの嵌合の程度は、外筒プリフォーム１及び内筒プリフォーム３の芯の位置が定まる程度からしまりばめ状に完全に固定された状態まで、目的や成形上の都合に応じて適宜設定すればよい。
従って、本発明は、生産性、量産性、コストダウンの点で、極めて有利である。
【００２５】
尚、上述した本発明において、空気導入路として機能する空隙１３に連なる空気導入口７は、外筒プリフォーム１の壁部を穿孔して形成された孔であってもよいし（図１では孔として示されている）、外筒プリフォーム１の上端から密封部Ａの下側（空隙１３が形成されている部分）まで延びている切欠きであってもよい。要するに、外部から空隙１３にまで空気が流れるように空気導入口７が形成されていればよい。
【００２６】
上述した外筒プリフォーム１と内筒プリフォーム３とから形成されている多重プリフォーム２０は、それ自体公知の延伸ブロー成形に供され、例えば、図３に示す二重構造容器が得られる。
【００２７】
図３において、この二重構造容器は、全体として３０で示されており、ノズル部３１と、ノズル部３１の下端から外方に広がった肩部３３、肩部３３から下方に降下している胴部３５及び胴部の下端を閉じている底部３７とからなっており、ノズル部３１が、前述した多重プリフォーム２０の固定領域Ｘに相当し（固定領域Ｘと全く同じである）、ノズル部３１よりも下方に位置している肩部３３、胴部３５及び底部３７が延伸成形領域Ｙをブロー成形して得られる部分となる。
【００２８】
即ち、図２に示す構造の多重プリフォーム２０において、その固定領域Ｘをしっかりと固定し、その延伸成形領域Ｙを該プリフォーム２０（外筒プリフォーム１及び内筒プリフォーム３）を形成している樹脂のガラス転移温度（Ｔｇ）以上、融点未満の温度に加熱し、次いで、該プリフォーム２０の延伸成形領域Ｙをブロー型内に配置し、このプリフォーム２０（内筒プリフォーム３）内にストレッチロッドを挿入して軸方向に延伸させ、同時に、ブロー流体（例えばエア）を吹き込んで周方向に膨張延伸させて、ブロー型による容器形状に賦形することにより、図３に示す形態の二重構造容器３０が得られる。
【００２９】
従って、この二重構造容器３０は、外筒プリフォーム１から得られる外筒体４１と、内筒プリフォーム３から得られる内袋４３とを有しており、多重プリフォーム２０の固定領域Ｘと全く同じノズル部３１では、その上部外面に内筒プリフォーム３（内袋４３）に由来する螺条９と周状突部１１とを有しており、周状突部１１の下側には外筒プリフォーム１（外筒体４１）に由来する空気導入口７と、周状突部１１よりも大径のサポートリング５とを備えている。また、多重プリフォーム２０の固定領域Ｘに形成されている空隙１３は、そのままノズル３の内部に存在している。
【００３０】
上記のような構造を有する二重構造容器３０は、内袋４３に内容物を収容した後、このノズル部３１に逆止弁付キャップを装着して使用に供される。
【００３１】
図４には、このような逆止弁付キャップが装着された上記容器３０のノズル部３１の状態が示されている。
即ち、全体として５０で示されている逆止弁付キャップは、従来公知の構造を有しているものでよく、例えば、ノズル部３１に被せられているキャップ本体５１と、ノズル部３１の上端の開口部に嵌め込まれている中栓５３とを備えている。
尚、図４では省略されているが、キャップ本体５１には、通常、上蓋はヒンジ連結されており、この上蓋を開放した状態で内容物の排出が行われる。
【００３２】
キャップ本体５１は、頂板部５５と、頂板部５５の周縁から降下している筒状側壁５７とから形成されている。
頂板部５５には、中央部に内容物注出用の開口５９が形成されており、この開口５９の周縁から、注ぎ出される内容物の案内となる注出筒６１が上方に延びている。また、この頂板部５５には、注出筒６１の外側となる位置に、空気導入用の開口６３が形成されている。
さらに、筒状側壁５７の内面には、二重結合容器３０のノズル部３１（内筒用プリフォーム３の固定領域Ｘ）の外面に設けられている螺条９と係合する螺子突起６５が形成されており、螺条９と螺子突起６５との螺子係合により、このキャップ本体５１は、ノズル部３１に被せられた状態で安定に保持される。
尚、螺条９および螺子突起６５はそのどちらか、あるいは両側が断続的に切りかかれており、互いが係合している状態であっても、切り欠かれた部分を空気が流れるようになっている。また、筒状側壁５５の下方部分は、その内面がノズル部３１（外筒プリフォーム１の固定領域）のサポートリング５の上面から周縁部分にかけて密着しており、この部分から空気が漏洩しないようにされている。勿論、筒状側壁５５の下方部分は、空気導入口７よりも下側の部分でノズル部３１の外面（外筒プリフォーム１の固定領域）に密着していればよく、例えば外筒プリフォーム１の空気導入口７よりも下側かつサポートリングより上方に空気流路規制用の周状突起を設置し、ここで筒状側壁５５の下方部分と密着していてもよい。
【００３３】
一方、中栓５３は、ノズル部３１の開口部に嵌め込まれる筒状形状を有する第１の栓体７１と、この第１の栓体７１に嵌め込まれた第２の栓体７３とから構成されている。
【００３４】
第１の栓体７１は、その下端部（底部）が第１の弁７１ａにより閉じられており、内容物の排出に際しては、容器内圧によって、この弁７１ａは上方に開き、開いた部分を内容物が通るようになっている。
また、第１の栓体７１の上方部分には、外方に延びているフランジ７１ｂが設けられており、このフランジ７１ｂの下端がノズル部３１の上端面にしっかりと密着することにより、第１の栓体７１がノズル部３１にしっかりと保持される。
【００３５】
第２の栓体７３は、この第１の栓体７１の上部開口に嵌め込まれるため、第１の栓体１と同様、筒状形状を有しているが、その上端には、外方に延びている環状形状の第２の弁７３ａが設けられている。この第２の弁７３ａは、常態では、キャップ本体５１の頂板部５５に形成されている開口６３を閉じるように位置しているが、内容物の排出終了後には、垂れ下がって開口６３を開放し、この開口６３を通って空気が流れるようになっている。
【００３６】
即ち、図４を参照して、内袋４３に内容物が充填されている二重構造容器３０から内容物を排出するには、逆止弁付キャップ５０に設けられている上蓋を開けた後、この容器３０の胴部３５（外筒体４１）の外面を押圧し、これを凹ませる。これにより、内袋４３も凹まされ、その押圧力により、内袋４３内の内容物は、第１の弁７１ａを上方に開け、矢線Ｐに示されているように、中栓５３（第１の栓体７１及び第２の栓体７３）の内部を通り、さらに開口５９及び注出筒６１を通って外部に排出されることとなる。このように、内袋４３内に充填された内容物は、内袋４３が凹まされた分だけ排出されることとなる。
【００３７】
一方、容器３０の胴部３５（外筒体４１）の外面の押圧を停止すると、外筒体４１は、元の形態に弾性復帰するが、内袋４３は元の状態に弾性復帰しないため、内袋４３と外筒体４１との間に、大気圧よりも低い減圧状態の空隙が生じる。このため、第２の栓体７３の第１の弁７３ａが下方に垂れ下がり、開口６３が開放され、この結果、矢印Ｑに示されているように、空気が開口６３を通ってノズル部３１の外面とキャップ本体５１（筒状側壁５７）の内面との間を通り、ノズル部３１（外筒体４１、外筒プリフォーム１）に形成されている空気導入口７を通り、さらに空隙１３（空気流路）から内袋４３と外筒体４１との間に形成される空隙に空気が導入されることとなる。
【００３８】
このように、内袋４３と外筒体４１との間に形成される空隙に空気が導入された後、再び容器３０の胴部（外筒体４１）外面を押圧すると、空隙に導入された空気は、第２の弁７３により開口６３が閉じられるために外部に放出されることがなく、従って、内袋４３は空気層を介して押圧されて凹み、この結果、再び、内袋４３内の内容物は、上記と同様、凹まされた分だけ外部に排出されることとなる。
【００３９】
このようにして、内袋４３に充填された内容物は、押圧された凹んだ分ずつ排出されていくわけであるが、内容物が排出された場合にも内袋４３内に空気が導入されることはなく、従って、内容物の酸化劣化が有効に防止され、この内容物の鮮度が有効に保持されることとなる。
【００４０】
上述した説明から理解されるように、本発明の多重プリフォーム２０から形成される二重構造容器３０をデラミボトルとして利用する際には、外筒体４１は、とくに、その胴部が外部から押圧されたときに凹むが、押圧が解除されたときには、弾性により元の形態に復帰するような厚みに形成される。一方、内袋４３は、薄肉であり、外部からの圧力により容易に凹み、さらに外部からの圧力が解除されたときにも原形に復帰することはない。従って、外筒体４１を形成するための外筒プリフォーム１の延伸成形領域Ｙでは、ブロー成形により、そのような厚みとなるように厚く形成され、内袋４３を形成するための内筒プリフォーム３の延伸成形領域Ｙでは、その厚みは薄く設定される。
また、内袋４３をある程度の弾性を有するような厚みに設定し、外筒体と４１と内袋４３の間に一定の空気層を設けることで二重構造容器３０を断熱ボトルとして利用することも可能である。
【００４１】
なお、上述した図１から図４の例では、内筒プリフォーム３の上部外面に螺条９（キャップ固定用突起）が形成されており、螺子係合によりキャップが装着されるような構造となっているが、本発明では、もちろんキャップを嵌合固定する構造を採用することもできる。
このような形態の二重構造容器形成用プリフォームでは、図５に示されているように、内筒プリフォーム３の上端部に大径突部８０が形成されており、キャップを嵌め込んだ時、この大径突部８０の外面にキャップのスカート内面が密着する構造となっている。この場合、外筒プリフォーム１の上端は、上記の大径突部８０の下面に当接することにより、その上端位置が規制される。即ち、大径突部８０は、キャップを嵌合固定する機能と外筒プリフォーム１の上端を規制する機能とを兼用している。
【００４２】
本発明において、外筒体４１を形成するための外筒プリフォーム１や内袋４３を形成するための内筒プリフォーム３は、上記のようにブロー成形が可能であるかぎり、種々の熱可塑性樹脂で形成することができる。
このような熱可塑性樹脂としては、例えば、以下のものを例示することができる。
オレフィン系樹脂、例えば、低密度ポリエチレン、高密度ポリエチレン、ポリプロピレン、ポリ１−ブテン、ポリ４−メチル−１−ペンテンあるいはエチレン、プロピレン、１−ブテン、４−メチル−１−ペンテン等のα−オレフィン同士のランダムあるいはブロック共重合体、環状オレフィン共重合体など；
エチレン・ビニル系共重合体、例えば、エチレン・酢酸ビニル共重合体、エチレン・ビニルアルコール共重合体、エチレン・塩化ビニル共重合体等；
スチレン系樹脂、例えば、ポリスチレン、アクリロニトリル・スチレン共重合体、ＡＢＳ、α−メチルスチレン・スチレン共重合体等；
ビニル系樹脂、例えば、ポリ塩化ビニル、ポリ塩化ビニリデン、塩化ビニル・塩化ビニリデン共重合体、ポリアクリル酸メチル、ポリメタクリル酸メチル等；
ポリアミド樹脂、例えば、ナイロン６、ナイロン６−６、ナイロン６−１０、ナイロン１１、ナイロン１２等；
ポリエステル樹脂、例えば、ポリエチレンテレフタレート（ＰＥＴ）、ポリブチレンテレフタレート、ポリエチレンナフタレート、及びこれらの共重合ポリエステル等；
ポリカーボネート樹脂；
ポリフエニレンオキサイド樹脂；
生分解性樹脂、例えば、ポリ乳酸など；
勿論、成形性が損なわれない限り、これらの熱可塑性樹脂のブレンド物を、下地樹脂として使用することもできる。
本発明において、特に好適に使用される熱可塑性樹脂は、ポリエステル系樹脂及びオレフィン系樹脂であり、さらに、用途上外筒体４１と内袋４３の間には空気が流入するため、外筒体４１を形成する外筒プリフォーム１には水分及びガスバリア性は必ずしも必要ではなく、水分及びガスバリア性の低いポリ乳酸も好適に使用することができる。
【００４３】
また、成形される外筒体４１や内袋４３にガスバリア性を付与するために、これらを形成するための外筒プリフォーム１や内筒プリフォーム３を多層構造とすることもできる。
例えば、前述したポリエステル系樹脂やオレフィン系樹脂（或いはポリ乳酸）等から形成された内外層の間に中間層として、エチレンビニルアルコール共重合体（エチレン酢酸ビニル共重合体ケン化物）や芳香族ポリアミドなどのガスバリア性樹脂を用いて形成されるガスバリア層を設けることが好ましく、特にエチレンビニルアルコール共重合体によるガスバリア層を設けることが最も好適である。即ち、中間層としてガスバリア層を設けることにより酸素バリア性を付与することができ、特にエチレンビニルアルコール共重合体は、特に優れた酸素バリア性を示すため、酸素透過による内容物の酸化劣化をも有効に抑制することができ、優れた内容物保存性を確保することができる。
【００４４】
また、上記のようなガスバリア層を設ける場合には、内外層との接着性を高め、デラミネーションを防止するために、接着剤樹脂層を設けることもでき、これにより、中間層のガスバリア層をしっかりと内外層に接着固定することができる。このような接着樹脂層の形成に用いる接着剤樹脂はそれ自体公知であり、例えば、カルボニル基（＞Ｃ＝Ｏ）を主鎖若しくは側鎖に１乃至１００ｍｅｑ／１００ｇ樹脂、特に１０乃至１００ｍｅｑ／１００ｇ樹脂の量で含有する樹脂、具体的には、マレイン酸、イタコン酸、フマル酸などのカルボン酸もしくはその無水物、アミド、エステルなどでグラフト変性されたオレフィン樹脂；エチレン−アクリル酸共重合体；イオン架橋オレフィン系共重合体；エチレン−酢酸ビニル共重合体；などが接着性樹脂として使用される。
【００４５】
本発明においては、特に内袋４３に高い酸素バリア性も付与することが好ましく、従って、内筒プリフォーム３に、上述した多層構造を採用し、外筒体４１を形成する外筒プリフォーム１にはポリ乳酸のようなバイオプラスチックを用いることで性能、環境面ともに好適である。
【００４６】
上述した本発明の多重プリフォーム２０から得られる二重構造容器は、長期間にわたって高い鮮度を保持することができ、しかも、内容物を小出しできることから、醤油等の調味液用の容器として極めて有用である。
【符号の説明】
【００４７】
１：外筒プリフォーム
３：内筒プリフォーム
５：サポートリング
７：空気導入口
９：螺条
１１：周状突部
１３：空隙
２０：多重プリフォーム（本発明の二重構造プリフォーム）
Ｘ：固定領域
Ｙ：延伸成形領域
Ａ：嵌合部
【図１】
2016210181.tif 000003
【図２】
2016210181.tif 000004
【図３】
2016210181.tif 000005
【図４】
2016210181.tif 000006
【図５】
2016210181.tif 000007